(57)【要約】【課題】外観性を向上させ、薬品による損傷を受けにくく、かつ十分な強度を有する蓋の構造を有する洗濯機を提供する。【解決手段】洗濯物を収容する洗濯兼脱水槽１９を内包した水槽２０を収納し、衣類投入用の開口部２を有する洗濯機筐体１と、開口部２を開閉する蓋本体３と、蓋本体３のほぼ全体を覆う蓋カバー７と、同じく蓋本体３のほぼ全体を覆うと共に、蓋本体３と蓋カバー７とで挟持される化粧板１１を備えたもので、化粧板１１は、直接洗剤に触れる事が無くしかも蓋本体３と蓋カバー７によって挟み込まれて高いクリープ強度を必要としないので、ＡＢＳ等塗装密着性のよい材料を使用する事が可能になり、外観性を向上させることができ、また、蓋本体３に耐薬品、クリープ強度、機械的強度を有する材料を使用すれば、薬品による損傷を受けにくく、かつ十分な強度を有する蓋構造を得ることができる。【選択図】図２
2006055314.tif 000002
【特許請求の範囲】
【請求項１】
洗濯物を収容して回転駆動される洗濯兼脱水槽と、前記洗濯兼脱水槽を内包した水槽と、前記水槽を収納し前記洗濯兼脱水槽に衣類を投入する為の開口部を有する洗濯機筐体と、前記洗濯機筐体に回動自在に軸支され前記開口部を開閉する蓋本体と、前記蓋本体のほぼ全体を覆う蓋カバーと、同じく前記蓋本体のほぼ全体を覆うと共に、前記蓋本体と前記蓋カバーとで挟持される化粧板を備えた洗濯機。
【請求項２】
蓋本体と蓋カバーとの係合部分に第１の隙間を設け、前記蓋カバーと化粧板の係合部分に第２の隙間を設け、前記第１の隙間を前記第２の隙間よりも小さく設定した請求項１に記載の洗濯機。
【発明の詳細な説明】
【技術分野】
【０００１】
本発明は、洗濯機に関するもので、特に洗濯機の筐体内の衣類の飛び出しを防ぐ蓋の構成に関するものである。
【背景技術】
【０００２】
従来より、洗濯機の筐体に、洗濯機筐体内の衣類や洗剤が、機体外に飛び出すことを防止するための蓋が開閉自在に保持されていた（例えば、特許文献１参照）。
【０００３】
図３は、従来の一般的な洗濯機の蓋の構成を示す要部断面図である。図３において、洗濯機筐体１０１には、衣類を出し入れする開口部１０２があり、ポリプロピレンで成形した蓋本体１０３が、蝶番軸１０４と蝶番板１０５により開閉自在に保持されていた。蓋本体１０３には中の衣類が機体外に飛び出さないよう、窓ガラス１０６を設けていた。一方、蓋本体１０３のほぼ全面を透明ＡＢＳで成型した蓋カバー１０７で覆い、中の衣類の動きが見えるようにしていた。また蓋本体１０３の表面を塗装して外観を良くしていた。蓋本体１０３側には爪１０８ａが、蓋カバー１０７側には爪１０８ｂがそれぞれ設けられ、蓋カバー１０７を蓋本体１０３に固定していた。蝶番板１０５は蓋本体１０３の蝶番固定ボス１０９に蝶番固定ビス１１０で固定していた。
【０００４】
以上のように構成された洗濯機について、その動作を以下に説明する。洗濯機筐体１０１内の衣類に、水と洗剤が加えられモーター（図示せず）により回転する。衣類の回転により飛び散った洗剤は窓ガラス１０６にも付着する。衣類の出し入れの際に、洗剤が窓ガラス１０６を伝わって蓋本体１０３にも付着する。そこで、蓋本体１０３は、洗剤その他の薬品によって損傷を受けないように、ポリプロピレンなど、耐薬品性が強い樹脂材料から形成されていた。また、蝶番板１０５を締め付ける蝶番固定ボス１０９に、蓋本体１０３と質量のある窓ガラス１０６の荷重が集中して加わるため、破損して壊れないようにするために、その直径を大きくしていた。さらに、洗濯、脱水中に蓋カバー１０７が振動して音を出さないようにするために、爪１０８ａと、爪１０８ｂは常に応力がかかる嵌めあいにしていた。
【特許文献１】特開２００４−８６８３号公報
【発明の開示】
【発明が解決しようとする課題】
【０００５】
しかしながら、上記従来の洗濯機では、蓋本体１０３を薬品に強いポリプロピレンで成形していたので、美観を高めるために表面に塗装する際、表面に化学変化を生じさせることが難しく、十分な塗装密着強度を持たせることが極めて困難であった。塗装の密着性を良くしようとすれば、薬品等により蓋本体１０３の表面を荒らす必要があったが、そのためには耐薬品性を落とした材料を使う必要があった。ところが耐薬品性を落としてしまうと、今度は洗剤などによる損傷を受けやすくなるため、適切な材料を選ぶのが困難であった。
【０００６】
また、蓋カバー１０７は、爪１０８ａ、１０８ｂの嵌めあいにより固定していたが、蓋本体１０３に応力がかかる構造であったため、耐薬品性が落ちる材料を使うと、クリープなどによる破損がさらに発生しやすくなるという課題があった。同様に荷重が加わる蝶番ボス１０９が破損しないようにするために、蓋本体１０３を成形する材料には機械的強度も必要であり、耐薬品性と、塗装密着性と、クリープ強度と、機械的強度のすべてを有する材料選定はさらに難しかった。
【０００７】
本発明は、前記従来の課題を解決するもので、簡単な構成で、外観性を向上させ、薬品による損傷を受けにくく、かつ十分な強度を有する蓋構造を有する洗濯機を提供することを目的とする。
【課題を解決するための手段】
【０００８】
前記従来の課題を解決するために、本発明の洗濯機は、洗濯物を収容して回転駆動される洗濯兼脱水槽と、前記洗濯兼脱水槽を内包した水槽と、前記水槽を収納し前記洗濯兼脱水槽に衣類を投入する為の開口部を有する洗濯機筐体と、前記洗濯機筐体に回動自在に軸支され前記開口部を開閉する蓋本体と、前記蓋本体のほぼ全体を覆う蓋カバーと、同じく前記蓋本体のほぼ全体を覆うと共に、前記蓋本体と前記蓋カバーとで挟持される化粧板を備えたもので、化粧板は、蓋本体によって直接洗剤に触れる事が無いので耐薬品性は必要が無く、しかも蓋本体と蓋カバーによって挟み込まれているので高いクリープ強度を必要とせず、ＡＢＳ等塗装密着性のよい材料を使用する事が可能になり、簡単な構成で、外観性を向上させることができる。また、蓋本体に、耐薬品、クリープ強度、機械的強度を有するポリプロピレン等を使用すれば、薬品による損傷を受けにくく、かつ十分な強度を有する蓋構造が得られる。
【発明の効果】
【０００９】
本発明の洗濯機は、簡単な構成で、外観性を向上させ、薬品による損傷を受けにくく、かつ十分な強度を有する蓋構造を得ることができる。
【発明を実施するための最良の形態】
【００１０】
第１の発明は、洗濯物を収容して回転駆動される洗濯兼脱水槽と、前記洗濯兼脱水槽を内包した水槽と、前記水槽を収納し前記洗濯兼脱水槽に衣類を投入する為の開口部を有する洗濯機筐体と、前記洗濯機筐体に回動自在に軸支され前記開口部を開閉する蓋本体と、前記蓋本体のほぼ全体を覆う蓋カバーと、同じく前記蓋本体のほぼ全体を覆うと共に、前記蓋本体と前記蓋カバーとで挟持される化粧板を備えたもので、化粧板は、蓋本体によって直接洗剤に触れる事が無いので耐薬品性は必要が無く、しかも蓋本体と蓋カバーによって挟み込まれているので高いクリープ強度を必要とせず、ＡＢＳ等塗装密着性のよい材料を使用する事が可能になり、簡単な構成で、外観性を向上させることができる。また、蓋本体に、耐薬品、クリープ強度、機械的強度を有するポリプロピレン等を使用すれば、薬品による損傷を受けにくく、かつ十分な強度を有する蓋構造が得られる。
【００１１】
第２の発明は、特に第１の発明の蓋本体と蓋カバーとの係合部分に第１の隙間を設け、前記蓋カバーと化粧板の係合部分に第２の隙間を設け、前記第１の隙間を前記第２の隙間よりも小さく設定したもので、化粧板に固定による圧力が作用する前に第１の隙間が密着し、化粧板が応力を受けることが無いので、化粧板に強度を要する材料を使う必要が無く安価に形成できる。
【００１２】
以下、本発明の実施の形態について、図面を参照しながら説明する。なお、この実施の形態によって本発明が限定されるものではない。
【００１３】
（実施の形態１）
以下本発明の第１の実施の形態における洗濯機について、洗濯兼脱水槽を傾斜配置したドラム式洗濯機の例を用いて説明する。
【００１４】
図１は、本実施の形態における洗濯機の外観斜視図、図２は同洗濯機の要部断面図である。
【００１５】
図１において、洗濯機筐体１の正面側上部には上向き傾斜面１ａが形成され、この傾斜面１ａに衣類を出し入れする円形の開口部２が形成されている。３は、ポリプロピレンで成形され、前記開口部２を開閉自在に閉じる円形の蓋本体である。
【００１６】
図２に示すように、蓋本体３は、蝶番軸４と蝶番板５により開閉自在に保持されている。蓋本体３には中の衣類が機体外に飛び出さないよう、窓ガラス６を設けている。一方、蓋本体３のほぼ全面を透明ＡＢＳで成型した蓋カバー７で覆い、中の衣類の動きが見えるようにしている。
【００１７】
蓋本体３側には爪８ａが、蓋カバー７側には爪８ｂがそれぞれ設けられ、両爪８ａ、８ｂを係合させて蓋カバー７を蓋本体３に固定している。蝶番板５は蓋本体３の蝶番固定ボス９に蝶番固定ビス１０で固定している。
【００１８】
１１は、蓋本体３と蓋カバー７とで挟持される化粧板で、貫通穴１２があり、蓋カバー７の一部、すなわち爪８ｂが、この貫通穴１２を通って蓋本体３の爪８ａに係合するようになっている。爪８ａ、８ｂには、軸方向の第１の隙間ｇ１を設けている。爪８ａ、８ｂは、蓋本体３のほぼ全周にほぼ一定の間隔で並んでいる。本実施の形態では３０度ピッチで１２組の爪が並んでいる。
【００１９】
一方、化粧板１１と蓋カバー７の間には軸方向の第２の隙間ｇ２を設けていて、第１の隙間ｇ１は第２の隙間ｇ２よりも小さくしている。化粧板１１には耐薬品性を高めたＡＢＳを使用している。洗剤に対する耐薬品性は蓋本体３よりも弱い代わりに、塗料密着強度は、蓋本体３より高く設定している。クリープ強度、機械的強度も、蓋本体３のほうが高くなるようにしている。化粧板１１は、その一部が蓋カバー７よりも外側に延長している。化粧板１１は蓋本体３の表面の９割以上を覆うようにしていて、中心方向に延長した一部に、蓋本体３に係合する爪１３を有している。
【００２０】
蓋本体３と爪１３の間には、軸方向の第３の隙間ｇ３を設けていて、第３の隙間ｇ３は第２の隙間ｇ２より大きくしている。１４は、蓋本体３に設けた蓋裏板固定ボス１５に、蓋裏板固定ビス１６で固定される蓋裏板で、窓ガラス６を蓋本体３に締め付けている。蓋裏板１４は、蓋本体３よりさらに耐薬品性が高いポリプロピレンを選定して成形している。蓋裏板固定ボス１５は、蓋本体３のほぼ全周にほぼ一定の間隔で並んでいる。本実施の形態では６本あり、爪８ａ、８ｂに干渉しない位置に設けている。
【００２１】
本実施の形態では、蓋裏板固定ボス１５の隣には二組の爪８ａ、８ｂがあり、その隣に次の蓋裏板固定ボス１５がくることを繰り返している。
【００２２】
化粧板１１の板厚は、蓋本体３、蓋カバー７、蓋裏板１４のいずれよりも薄くしている。蓋本体３と、蓋裏板１４には、爪１７ａ、爪１７ｂをそれぞれ設けていて、蓋本体３と蓋裏板１４を係合している。
【００２３】
爪１７ａ、爪１７ｂもまた、爪８ａ、８ｂ、および蓋裏板固定ボス１５と干渉しない位置に設けている。蓋本体３に設けた爪８ａと爪１７ａの根元部分には穴１８ａ、１８ｂを設けている。爪８ａと爪１７ａを構成する際、金型（図示せず）がこれらの爪の内側、すなわちアンダーカット部分に入り、成形するようにしている。洗濯機筐体１内には衣類を収容して回転駆動する洗濯兼脱水槽１９を内包する水槽２０が水平よりやや上を向いた角度で保持されている。
【００２４】
本実施の形態では、衣類は、洗濯機の設置面に対して約３０度の傾きをもって回転するように設定している。開口部２も、したがって設置面に対して約３０度の傾きをもっていて、蓋本体３も同様に約３０度の傾きをもって洗濯機筐体１に取り付けられている。
【００２５】
以上のように本実施の形態によれば、蝶番板５を、蓋本体３の蝶番固定ボス９に蝶番固定ビス１０で固定するようにしたので、化粧板１１に取り付けボスを設ける必要が無く、化粧板１１の材料は、機械的強度よりも塗装密着強度が高い材料を優先して選ぶことができる。
【００２６】
化粧板１１には、貫通穴１２があり、蓋カバー７の一部、すなわち爪８ｂが、この貫通穴１２を通って蓋本体３の爪８ａに係合しているため、化粧板１１には爪嵌合による応力がかからず、耐クリープ性が高い材料を選定する必要が無い。爪８ａ、８ｂには、軸方向の第１の隙間ｇ１を設けている一方、化粧板１１と蓋カバー７の間には軸方向の第２の隙間ｇ２を設けていて、第１の隙間ｇ１は第２の隙間ｇ２よりも小さくしているので、化粧板１１に固定による圧力が作用する前に第１の隙間ｇ１が密着するので、化粧板１１は応力を受けることが無い。
【００２７】
化粧板１１は、その一部が蓋カバー７よりも外側に延長していて、蓋本体３の表面の約９割以上を覆うようにしているので蓋本体３は外観に出ることが無く、外観よりも強度を優先した材料を選定することができる。
【００２８】
化粧板１１の中心方向に延長した一部に、蓋本体３に係合する爪１３を有しているので、洗濯中の振動で化粧板１１が振動することが無い。蓋本体３と爪１３の間には、軸方向の第３の隙間ｇ３を設けていて、第３の隙間ｇ３は第２の隙間ｇ２より大きくしているので、通常は化粧板１１に固定による圧力が作用する前に第１の隙間ｇ１が密着するので、化粧板１１は応力を受けることが無い。蓋裏板固定ボス１５は、蓋本体３のほぼ全周にほぼ一定の間隔で並べて、爪８ａ、８ｂに干渉しない位置に設けているので、蓋本体３に蓋カバー７、蓋裏板１４を、十分な強度で確実に固定することができる。
【００２９】
また、化粧板１１に応力がかからないので、化粧板１１の板厚は、蓋本体３、蓋カバー７、蓋裏板１４のいずれよりも薄くすることができ、蓋全体の質量が増えることを最小限にすることができる。蓋本体３に設けた爪８ａと爪１７ａの根元部分には穴１９ａ、１９ｂを設けていて、爪８ａと爪１７ａを構成する際、金型（図示せず）がこれらの爪の内側、すなわちアンダーカット部分に入り、成形するようにしているため、蓋本体３の成形が容易にできる。
【００３０】
また、衣類は設置面に対して約３０度の傾きをもって回転するように設定していて、蓋本体３も同様に約３０度の傾きをもって洗濯機筐体１に設置しているので、蓋本体３に洗剤がかかりやすい構成であるが、上述のように、蓋本体３の耐薬品性、耐クリープ強度、機械的強度を低下させること無く、さらに塗装密着強度を有する化粧板１１により、外観に優れた洗濯機を提供することができる。
【００３１】
なお、化粧板１１は耐薬ＡＢＳで説明したが、これに限るものではなく、例えばめっき鋼板などの板金で構成してもよい。蓋裏板１４にポリプロピレンを用いたが、これに限るものではなく、蓋本体３より耐薬品性が勝る材料、例えば塗装鋼板でもよい。蓋本体３の設置面に対する角度は約３０度として説明したが、これに限るものではなく、また、水槽２０の傾斜角度と必ずしも同一でなくてもよい。
【産業上の利用可能性】
【００３２】
以上のように、本発明にかかる洗濯機は、簡単な構成で、外観性を向上させ、薬品による損傷を受けにくく、かつ十分な強度を有する蓋構造が得られるもので、外観性、耐薬品性、強度に優れた複合部品を必要とする機器に広く適用できるものである。
【図面の簡単な説明】
【００３３】
【図１】本発明の実施の形態１における洗濯機の外観斜視図
【図２】同洗濯機の要部断面図
【図３】従来の洗濯機の要部断面図
【符号の説明】
【００３４】
１  洗濯機筐体
２  開口部
３  蓋本体
７  蓋カバー
１１  化粧板
１９  洗濯兼脱水槽
２０  水槽
【図１】
2006055314.tif 000003
【図２】
2006055314.tif 000004
【図３】
2006055314.tif 000005